【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
センサと、前記センサを駆動する駆動部とを備える放射線撮像装置であって、
前記センサは、
放射線を検知するための検知素子と、
前記検知素子をリセットする第１リセット部と、
前記検知素子からの信号に応じた電圧を保持する保持部と、
前記保持部をリセットする第２リセット部と、
前記保持部の電圧に応じた信号をサンプリングする第１サンプリング部と、
前記保持部の電圧に応じた信号をサンプリングする第２サンプリング部と、
を有しており、
前記駆動部は、
前記第１リセット部により前記検知素子をリセットした時の前記検知素子からの信号に応じた電圧を前記保持部が保持した後、前記検知素子が検知した放射線量に応じて変化した前記保持部の電圧に応じた第１信号を前記第１サンプリング部によりサンプリングする第１動作と、
前記第１動作の後に前記第２リセット部により前記保持部をリセットしながら、該リセットされた前記保持部の電圧に応じた第２信号を前記第２サンプリング部によりサンプリングした後に前記第１リセット部により前記検知素子をリセットする第２動作と、
を繰り返し行うように前記センサを駆動し、
前記駆動部は、更に、
ある前記第２動作を行ってから次の前記第１動作を開始するまでの期間が第１期間である第１モードでは、その期間に、前記第１リセット部により前記検知素子をリセットして前記第２リセット部により前記保持部をリセットする第３動作を実行し、
ある前記第２動作を行ってから次の前記第１動作を開始するまでの期間が、前記第１期間よりも小さい第２期間である第２モードでは、前記第２動作が前記第３動作を兼ねる
ように前記センサを駆動する
ことを特徴とする放射線撮像装置。
【請求項２】
前記センサからの信号を出力するための出力部をさらに備え、
前記出力部は、前記第１サンプリング部によりサンプリングされた前記第１信号と、前記第２サンプリング部によりサンプリングされた前記第２信号との信号値の差に応じた信号を出力する
ことを特徴とする請求項１に記載の放射線撮像装置。
【請求項３】
前記出力部は、前記信号値の差をアナログデジタル変換する変換部を有する
ことを特徴とする請求項２に記載の放射線撮像装置。
【請求項４】
前記駆動部は、
外部から同期信号を受けており、
前記第１モードでは、ある前記第２動作を行った後に最初に受けた前記同期信号に応答して前記第３動作を行い、その後、次の前記第１動作から前記第２動作までの一連の動作が完了するまでの間に前記同期信号を受けた場合には、前記第３動作を行わない
ことを特徴とする請求項１乃至３のいずれか１項に記載の放射線撮像装置。
【請求項５】
ある前記第２動作を行ってから次の前記第１動作を開始するまでの期間が、前記第１期間よりも小さく且つ前記第２期間よりも大きい第３期間である第３モードと、をさらに含み、
前記駆動部は、
前記第１モードでは、前記出力部が前記信号値の差に応じた信号を出力した後に、前記第３動作を行うと共に、前記第３動作でリセットされた前記保持部の電圧に応じた信号を前記第１サンプリング部によりサンプリングして、該信号を前記第２サンプリング部によりサンプリングする第４動作を行い、
前記第３モードでは、前記出力部が前記信号値の差に応じた信号を出力している間に、前記第３動作及び前記第４動作のうちの前記第３動作を行う
ように前記センサを駆動する
ことを特徴とする請求項２又は請求項３に記載の放射線撮像装置。
【請求項６】
前記駆動部は、
外部から同期信号を受けており、
前記第１モードでは、ある前記第２動作を行った後に最初に受けた前記同期信号に応答して前記第３動作及び前記第４動作を行い、その後、次の前記第１動作から前記第２動作までの一連の動作が完了するまでの間に前記同期信号を受けた場合には、前記第３動作及び前記第４動作を行わず、
前記第３モードでは、ある前記第２動作を行った後に最初に受けた前記同期信号に応答して前記第３動作を行い、その後、次の前記第１動作から前記第３動作までの一連の動作が完了するまでの間に前記同期信号を受けた場合には、前記第３動作を行わない
ことを特徴とする請求項５に記載の放射線撮像装置。
【請求項７】
センサと、前記センサを駆動する駆動部とを備える放射線撮像装置であって、
前記センサは、
放射線を検知するための検知素子と、
前記検知素子をリセットする第１リセット部と、
前記検知素子からの信号に応じた電圧を保持する保持部と、
前記保持部をリセットする第２リセット部と、
前記保持部の電圧に応じた信号をサンプリングする第１サンプリング部と、
前記保持部の電圧に応じた信号をサンプリングする第２サンプリング部と、
を有しており、
前記駆動部は、
前記第１リセット部により前記検知素子をリセットした時の前記検知素子からの信号に応じた電圧を前記保持部が保持した後、前記検知素子が検知した放射線量に応じて変化した前記保持部の電圧に応じた第１信号を前記第１サンプリング部によりサンプリングする第１動作と、
前記第１動作の後に、前記第２リセット部により前記保持部をリセットしながら、該リセットされた前記保持部の電圧に応じた第２信号を前記第２サンプリング部によりサンプリングした後に前記第１リセット部により前記検知素子をリセットする第２動作と、
を繰り返し行うように前記センサを駆動し、
前記駆動部は、更に、
ある前記第２動作を行ってから次の前記第１動作を開始するまでの期間が第１期間である第１モードでは、その期間に、前記第１リセット部により前記検知素子をリセットして前記第２リセット部により前記保持部をリセットする第３動作を実行し、
ある前記第２動作を行ってから次の前記第１動作を開始するまでの期間が、前記第１期間よりも小さい第２期間である第２モードでは、前記第３動作を行わない
ように前記センサを駆動する
ことを特徴とする放射線撮像装置。
【請求項８】
請求項１乃至７のいずれか１項に記載の放射線撮像装置と、
放射線を発生する放射線源と、を具備する
ことを特徴とする放射線検査装置。
【請求項９】
前記放射線検査装置は、Ｃアーム型放射線透視診断装置を含む
ことを特徴とする請求項８に記載の放射線検査装置。
【請求項１０】
センサを備える放射線撮像装置の駆動方法であって、
前記センサは、放射線を検知するための検知素子と、前記検知素子をリセットする第１リセット部と、前記検知素子からの信号に応じた電圧を保持する保持部と、前記保持部をリセットする第２リセット部と、前記保持部の電圧に応じた信号をサンプリングする第１サンプリング部と、前記保持部の電圧に応じた信号をサンプリングする第２サンプリング部と、を有しており、
前記放射線撮像装置の駆動方法は、
前記第１リセット部により前記検知素子をリセットした時の前記検知素子からの信号に応じた電圧を前記保持部が保持した後、前記検知素子が検知した放射線量に応じて変化した前記保持部の電圧に応じた第１信号を前記第１サンプリング部によりサンプリングする第１動作と、前記第１動作の後に、前記第２リセット部により前記保持部をリセットしながら、該リセットされた前記保持部の電圧に応じた第２信号を前記第２サンプリング部によりサンプリングした後に前記第１リセット部により前記検知素子をリセットする第２動作と、を繰り返し行う工程を有しており、
前記工程では、
ある前記第２動作を行ってから次の前記第１動作を開始するまでの期間が第１期間の場合には、その期間に、前記第１リセット部により前記検知素子をリセットして前記第２リセット部により前記保持部をリセットする第３動作をさらに実行し、
ある前記第２動作を行ってから次の前記第１動作を開始するまでの期間が、前記第１期間よりも小さい第２期間の場合には、前記第３動作の実行を抑制する
ことを特徴とする放射線撮像装置の駆動方法。
【手続補正２】
【補正対象書類名】明細書
【補正対象項目名】０００９
【補正方法】変更
【補正の内容】
【０００９】
本発明の一つの側面は放射線撮像装置にかかり、前記放射線撮像装置は、センサと、前記センサを駆動する駆動部とを備える放射線撮像装置であって、前記センサは、放射線を検知するための検知素子と、前記検知素子をリセットする第１リセット部と、前記検知素子からの信号に応じた電圧を保持する保持部と、前記保持部をリセットする第２リセット部と、前記保持部の電圧に応じた信号をサンプリングする第１サンプリング部と、前記保持部の電圧に応じた信号をサンプリングする第２サンプリング部と、を有しており、前記駆動部は、前記第１リセット部により前記検知素子をリセットした時の前記検知素子からの信号に応じた電圧を前記保持部が保持した後、前記検知素子が検知した放射線量に応じて変化した前記保持部の電圧に応じた第１信号を前記第１サンプリング部によりサンプリングする第１動作と、前記第１動作の後に前記第２リセット部により前記保持部をリセットしながら、該リセットされた前記保持部の電圧に応じた第２信号を前記第２サンプリング部によりサンプリングした後に前記第１リセット部により前記検知素子をリセットする第２動作と、を繰り返し行うように前記センサを駆動し、前記駆動部は、更に、ある前記第２動作を行ってから次の前記第１動作を開始するまでの期間が第１期間である第１モードでは、その期間に、前記第１リセット部により前記検知素子をリセットして前記第２リセット部により前記保持部をリセットする第３動作を実行し、ある前記第２動作を行ってから次の前記第１動作を開始するまでの期間が、前記第１期間よりも小さい第２期間である第２モードでは、前記第２動作が前記第３動作を兼ねるように前記センサを駆動することを特徴とする。